(57)【要約】【課題】表示条件設定画面を表示させた状態において、設定した表示態様を確実に認識させ得る記録装置を提供する。【解決手段】グループ分けされた測定結果を測定結果表示画面に表示する表示部３と、測定結果表示画面を分割した複数の表示領域毎に各グループの測定結果を表示させると共に各表示領域の位置および形状の分割態様を設定する表示条件設定画面２１を表示部３に表示させる制御部とを備え、制御部は、各表示領域を示す分割態様表示２６を設定された分割態様に従って表示条件設定画面２１内に表示させる。【選択図】図２
2006162436.tif 000002
【特許請求の範囲】
【請求項１】
グループ分けされた測定結果を測定結果表示画面に表示する表示部と、前記測定結果表示画面を分割した複数の表示領域毎に前記各グループの測定結果を表示させると共に当該各表示領域の位置および形状の分割態様を設定する表示条件設定画面を前記表示部に表示させる制御部とを備え、
前記制御部は、前記各表示領域を示す分割態様表示を前記設定された分割態様に従って前記表示条件設定画面内に表示させる記録装置。
【請求項２】
前記制御部は、前記測定結果表示画面における前記各表示領域の位置に対応させて当該各表示領域に表示させる各測定結果のグループの表示を前記分割態様表示内に表示させる請求項１記載の記録装置。
【請求項３】
前記制御部は、前記測定結果表示画面における前記各表示領域の位置に対応させて当該各表示領域に表示させる各測定結果を前記分割態様表示内に表示させる請求項１または２記載の記録装置。
【請求項４】
測定結果表示画面を分割した複数の表示領域毎に、グループ分けされた測定結果を表示させるときに、当該各表示領域の位置および形状の分割態様を設定する表示条件設定画面を表示させ、前記各表示領域を示す分割態様表示を前記設定された分割態様に従って当該表示条件設定画面内に表示させる表示方法。
【発明の詳細な説明】
【技術分野】
【０００１】
本発明は、測定結果表示画面を分割した複数の表示領域毎に、グループ分けされた測定結果を表示する記録装置および表示方法に関するものである。
【背景技術】
【０００２】
この種の記録装置として、出願人は、入力信号についての信号波形を表示可能な波形表示装置を特開２０００−３３８１３８号公報に開示している。この波形表示装置は、入力信号をデータ化した波形データを記憶するＲＡＭと、波形データに基づく信号波形を表示する表示部と、表示部に各種表示画面を表示させる制御部とを備えている。この波形表示装置では、過去に記録した（ＲＡＭに記憶させた）波形データに基づく信号波形と、新たに入力された入力信号の信号波形とを１つの波形表示画面内に並べて表示させることが可能となっている。具体的には、まず、表示条件設定画面を表示部に表示させ、波形表示画面の分割数（一例として、２分割）と、分割した各表示領域毎に表示させるべき信号波形とを設定する。
【０００３】
この場合、この種の波形表示装置では、一例として、表示条件設定画面内のコンボボックスに文字情報で表示れた選択候補（一例として、「１分割」「２分割」「４分割」の３種類の選択候補）から所望の分割数に対応する選択候補を選択することで、波形表示画面の分割数を設定することができるように構成されている。次いで、制御部は、波形表示画面を表示させる旨の操作が行われたときに、上記の表示条件設定画面において設定された表示条件に基づき、波形表示画面を上下２つの表示画面（表示領域）に分割して、例えば、ＲＡＭに記憶されている過去の波形データに基づく信号波形を上側の表示画面内に表示させ、新たな入力信号の信号波形を下側の表示画面内に表示させる。これにより、１つの波形表示画面内にグループ分けされた２つの信号波形が表示される。
【特許文献１】特開２０００−３３８１３８号公報
【発明の開示】
【発明が解決しようとする課題】
【０００４】
ところが、出願人が開示している波形表示装置には、以下の改善すべき課題がある。すなわち、出願人が開示している波形表示装置では、波形表示画面の分割数についての選択候補を表示条件設定画面内のコンボボックスに文字情報で表示して利用者に所望の分割数に対応する選択候補を選択させる構成が採用されている。一方、出願人は、波形表示画面の分割数のみならず、分割した各表示領域の波形表示画面内における位置や、各表示領域の形状などを任意に変更して信号波形を表示可能な波形表示装置を開発している。この波形表示装置によって信号波形を表示する際には、表示条件設定画面を表示して、「波形表示画面の分割数」や「分割した各表示領域の形状」などを設定しておく必要がある。
【０００５】
この場合、分割数については、前述したように選択候補を例えば文字情報で表示させることで利用者に所望の分割数を選択させて設定することができる。しかし、各表示領域の形状などについては、例えば、「全表示領域が均等となるように分割」や「最上段の表示領域のみ大きくなるように分割」のように選択候補を文字情報で表示させたとしても、その選択候補を選択した際に各表示領域がどのような形状で表示されるのかを利用者に認識させるのは困難である。したがって、波形表示画面の表示条件について選択候補を文字情報で表示させて選択させる従来の波形表示装置では、出願人が開発中の波形記録装置のように波形表示画面の表示態様を多様化したときに、利用者が所望する表示態様となるように表示条件を設定するのが困難であるため、この点を改善するのが好ましい。
【０００６】
また、表示条件についての選択候補を文字情報で表示させて選択させる構成では、表示条件設定画面が表示されている状態において、分割した各表示領域にいずれの信号波形が表示されるのかを認識させるのが困難となっている。したがって、各表示領域にいずれの信号波形が表示されるのかを確認するために例えば実際に波形表示画面を表示させて信号波形を表示させる必要があり、この確認作業が煩雑であるため、この点を改善するのが好ましい。
【０００７】
本発明は、かかる改善すべき課題に鑑みてなされたものであり、表示条件設定画面を表示させた状態において、設定した表示態様を確実に認識させ得る記録装置および表示方法を提供することを主目的とする。また、確認のために測定結果表示画面を表示させることなく、各表示領域にいずれの測定結果が表示されるのかを確実に認識させ得る記録装置を提供することを他の目的とする。
【課題を解決するための手段】
【０００８】
上記目的を達成すべく請求項１記載の記録装置は、グループ分けされた測定結果を測定結果表示画面に表示する表示部と、前記測定結果表示画面を分割した複数の表示領域毎に前記各グループの測定結果を表示させると共に当該各表示領域の位置および形状の分割態様を設定する表示条件設定画面を前記表示部に表示させる制御部とを備え、前記制御部は、前記各表示領域を示す分割態様表示を前記設定された分割態様に従って前記表示条件設定画面内に表示させる。
【０００９】
請求項２記載の記録装置は、請求項１記載の記録装置において、前記制御部が、前記測定結果表示画面における前記各表示領域の位置に対応させて当該各表示領域に表示させる各測定結果のグループの表示を前記分割態様表示内に表示させる。
【００１０】
請求項３記載の記録装置は、請求項１または２記載の記録装置において、前記制御部が、前記測定結果表示画面における前記各表示領域の位置に対応させて当該各表示領域に表示させる各測定結果を前記分割態様表示内に表示させる。
【００１１】
請求項４記載の表示方法は、測定結果表示画面を分割した複数の表示領域毎に、グループ分けされた測定結果を表示させるときに、当該各表示領域の位置および形状の分割態様を設定する表示条件設定画面を表示させ、前記各表示領域を示す分割態様表示を前記設定された分割態様に従って当該表示条件設定画面内に表示させる。
【発明の効果】
【００１２】
請求項１記載の記録装置、および請求項４記載の表示方法によれば、測定結果表示画面を分割した複数の表示領域を示す分割態様表示を設定された分割態様に従って表示条件設定画面内に表示させることにより、各波形表示領域の形状についての選択候補を文字情報で表示させて選択させる従来の表示方法と比較して、各表示領域がどのような分割態様で表示されるのかを利用者に確実に認識させることができる。したがって、利用者は、測定結果表示画面についての表示条件の設定を誤ることなく、所望の分割態様を正確に設定することができる。
【００１３】
また、請求項２記載の記録装置によれば、測定結果表示画面における各表示領域の位置に対応させて各表示領域に表示させる各測定結果のグループの表示を分割態様表示内に表示させることにより、利用者に対して、測定結果表示画面を表示して確認させることなく、表示条件設定画面を表示させた状態において各表示領域にいずれのグループの測定結果が表示されるのかを確実に認識させることができる。
【００１４】
さらに、請求項３記載の記録装置によれば、測定結果表示画面における各表示領域の位置に対応させて各表示領域に表示させる各測定結果を分割態様表示内に表示させることにより、測定結果が表示される位置を例えば文字情報で表示させる構成と比較して、各測定結果（グループ）が各表示領域のうちのいずれの領域に表示されるかを確実に認識させることができる。したがって、いずれの表示領域にいずれの測定結果を表示させるかを設定する際に、各表示領域と、表示させる測定結果との誤った組み合わせでの表示を回避することができる。
【発明を実施するための最良の形態】
【００１５】
以下、添付図面を参照して、本発明に係る記録装置および表示方法の最良の形態について説明する。
【００１６】
最初に、波形記録装置１の構成について、図面を参照して説明する。
【００１７】
図１に示す波形記録装置１は、本発明に係る記録装置の一例であって、入力信号に基づいて生成した波形データを記録すると共に記録した各波形データに基づく信号波形を表示可能に構成されている。この波形記録装置１は、測定部２、表示部３、操作部４、制御部５および記憶部６，７を備えて構成されている。測定部２は、一例として測定ユニット２ａ〜２ｈの８つの測定ユニットが取り外し可能に装着され、各測定ユニット２ａ〜２ｈ毎に別個独立して測定処理を実行可能に構成されている。具体的には、各測定ユニット２ａ〜２ｈは、入力信号Ｓ１，Ｓ２・・（以下、区別しないときには「入力信号Ｓ」ともいう）をアナログ−ディジタル変換することによって波形データＤ１，Ｄ２・・（以下、区別しないときには「波形データＤ」ともいう）を生成して制御部５に出力する。なお、測定ユニット２ａ〜２ｈは、実際には、各々が２チャンネルから１２８チャンネル程度の複数の信号入力系統を備えて１つのユニットで複数の入力信号Ｓについての測定処理を実行可能に構成されているが、本発明についての理解を容易とするために、１つの測定ユニットが１つの入力信号Ｓについての測定処理を実行するものとして説明する。
【００１８】
表示部３は、一例としてＬＣＤパネルで構成され、制御部５の制御に従って表示条件設定画面２１（図２参照）や波形表示画面３１（図４，６参照）などを表示する。この場合、図２に示すように、表示条件設定画面２１は、波形表示画面３１の表示態様（本発明における分割態様）についての表示条件が表示される表示態様設定領域２２と、波形表示画面３１にリサージュ波形を表示させる際にその表示条件が表示される合成条件設定領域２３と、波形表示画面３１に表示すべき信号波形Ｗ１，Ｗ２・・（各信号波形Ｗ１，Ｗ２・・のグループ分け状態）が表示される表示対象設定領域２４とで構成されている。また、表示態様設定領域２２内には、設定した分割態様で波形表示画面３１を分割した各波形表示領域３１ａ，３１ｂ・・を縮小して図形的に表した分割態様表示２６が表示される。この分割態様表示２６は、後述するように、表示態様設定領域２２内に表示される各表示条件が変更された際に、変更された新たな表示条件の分割態様に対応して表示替えされる。
【００１９】
この場合、この波形記録装置１は、波形表示画面３１の分割数（波形表示領域３１ａ，３１ｂ・・の数：表示態様設定領域２２内の「画面分割」に表示される表示条件）と、分割された各波形表示領域３１ａ，３１ｂ・・の形状（各波形表示領域３１ａ，３１ｂ・・の相対的な大きさおよび縦横比：表示態様設定領域２２内の「パターン」に表示される表示条件）と、各波形表示領域３１ａ，３１ｂ・・内に表示する信号波形Ｗ１，Ｗ２・・のスクロール方向（時間軸方向：表示態様設定領域２２内の「スクロール方向」に表示される表示条件）との３つの表示条件を任意に設定することで、所望の分割態様で波形表示画面３１を分割して各波形表示領域３１ａ，３１ｂ・・に信号波形Ｗ１，Ｗ２・・を表示させることができるように構成されている。具体的には、分割数については、「１分割（分割なし）」、「２分割」、「３分割」、「４分割」、「６分割」および「８分割」の６つの選択候補のうちのいずれかを選択することで、波形表示画面３１の分割数（波形表示領域３１ａ，３１ｂ・・の数）を設定することができる。
【００２０】
また、各波形表示領域３１ａ，３１ｂ・・の形状については、「パターン１」および「パターン２」の２つの選択候補のいずれかを選択することができる。この場合、「パターン１」を選択したときには、各波形表示領域３１ａ，３１ｂ・・が同じ大きさ（同じ形状）となるように波形表示画面３１が均等に分割され（図４参照）、「パターン２」を選択したときには、波形表示領域３１ａが他の波形表示領域３１ｂ，３１ｃ・・よりも大きく、かつ他の波形表示領域３１ｂ，３１ｃ・・が互いに等しい大きさとなるように波形表示画面３１が不均等に分割される（図６参照）。さらに、スクロール方向については、「横スクロール（時間軸が横軸）」および「縦スクロール（時間軸が縦軸）」の２つの選択候補のいずれかを選択することができる。なお、この波形記録装置１では、一例として、「２分割」、「パターン１」および「横スクロール」がデフォルトの表示条件として設定されている。
【００２１】
また、この波形記録装置１では、上記の表示条件で波形表示画面３１を分割した各波形表示領域３１ａ，３１ｂ・・内に、「波形」、「数値」、「ＸＹ合成」および「波形＋ＸＹ合成」の４種類の表示形態のうちのいずれかの形態（表示態様設定領域２２の「表示種類」に表示される表示条件）で測定結果を表示することができる。この場合、「波形」が選択されたときには、波形データＤ，Ｄ・・に基づく振幅波形（本発明における測定結果の一例）が各波形表示領域３１ａ，３１ｂ・・内に表示され、「数値」が選択されたときには、波形データＤ，Ｄ・・が数値（文字列：本発明における測定結果の他の一例）で各波形表示領域３１ａ，３１ｂ・・内に表示される。また、「ＸＹ合成」が選択されたときには、いずれかの波形データＤの値をＸ軸の値として、他のいずれかの波形データＤの値をＹ軸の値とするリサージュ波形（本発明における測定結果のさらに他の一例）が各波形表示領域３１ａ，３１ｂ・・内に表示される。さらに、「波形＋ＸＹ合成」が選択されたときには、例えば波形表示領域３１ａ内に上記の振幅波形が表示されると共に、波形表示領域３１ｂ，３１ｃ・・内にリサージュ波形が表示される。
【００２２】
一方、操作部４は、図２に示すように、電源ボタン１１、スタートボタン（測定開始ボタン）１２、ストップボタン（測定終了ボタン）１３、カーソル移動ボタン１４ａ〜１４ｄおよびファンクションボタン１５ａ〜１５ｈ（以下、区別しないときには「ファンクションボタン１５」ともいう）などの各種操作ボタンが配列されて構成されている。この場合、各ファンクションボタン１５は、使用状況に応じて各種機能が割り当てられると共に、割り当てられた機能を示す機能表示（一例として、図２に示す機能表示２５ａ〜２５ｈ）が表示部３の機能表示領域２５内に表示される。制御部５は、入力した各波形データＤの記憶部６への記憶制御、記憶させた波形データＤに基づく信号波形Ｗ１，Ｗ２・・（図４，６参照：以下、区別しないときには、「信号波形Ｗ」ともいう）の表示部３への表示制御、並びに、各信号波形Ｗを表示させる波形表示画面３１についての表示態様の設定処理などを実行する。記憶部６は、各入力信号Ｓ１，Ｓ２・・に対応する波形データＤ１，Ｄ２・・を記憶する。記憶部７は、制御部５の動作プログラムなどを記憶する。
【００２３】
次に、波形記録装置１の全体的な動作について、図面を参照して説明する。なお、測定部２による各入力信号Ｓ１，Ｓ２・・に基づく波形データＤ１，Ｄ２・・の生成処理（測定処理）については既に完了しているものとし、記憶部６には、測定部２によって生成された複数の波形データＤ１，Ｄ２・・が記憶されているものとする。
【００２４】
まず、図２に示すように、操作部４の所定のボタンを操作して表示条件設定画面２１を表示部３に表示させる。次いで、カーソル移動ボタン１４ａ〜１４ｄを操作してカーソル表示２１ａを「表示種類」の部位に移動させた状態において、ファンクションボタン１５ａ〜１５ｄのいずれかを操作する。この際に、カーソル表示２１ａを「表示種類」の部位に移動させた状態では、ファンクションボタン１５ａ〜１５ｄに割り当てられた選択機能（「波形」、「数値」、「ＸＹ合成」および「波形＋ＸＹ合成」を選択する機能）を表す機能表示２５ａ〜２５ｄが機能表示領域２５内に表示される。したがって、機能表示領域２５に表示された機能表示２５ａ〜２５ｄを参照しつつ、所望する表示種類を正確に選択することができる。ここでは、一例として、ファンクションボタン１５ａを操作することにより、表示種類として「波形」を選択する。
【００２５】
次いで、図３に示すように、カーソル移動ボタン１４ｂを操作して、カーソル表示２１ａを「画面分割」の部位に移動させる。この際に、「１分割」、「２分割」、「３分割」、「４分割」、「６分割」および「８分割」の各選択候補を選択する機能がファンクションボタン１５ａ〜１５ｆに割り当てられると共に、割り当てられた機能を示す機能表示２５ａ〜２５ｆが機能表示領域２５内に表示される（図示せず）。この際に、信号波形Ｗ１〜Ｗ４の４つを別個独立して波形表示領域３１ａ〜３１ｄに表示させるときには、ファンクションボタン１５ｄを操作する。これに応じて、制御部５が表示態様設定領域２２の「画面分割」の部位の文字列（選択された表示条件を表す文字列）を「２分割」から「４分割」に変更して表示部３に表示させると共に、分割態様表示２６を４分割の表示態様に対応して表示替えする。この場合、図３に示す表示態様設定領域２２に従って波形表示画面３１を表示させたときには、図４に示すように、波形表示画面３１が波形表示領域３１ａ〜３１ｄの４つの領域に均等に分割される分割態様で表示されて、各波形表示領域３１ａ〜３１ｄ内に信号波形Ｗ１〜Ｗ４が表示される。したがって、図３に示すように、制御部５は、この分割態様で各波形表示領域３１ａ〜３１ｄを表すように分割態様表示２６を表示替えする。
【００２６】
この際に、分割態様表示２６内には、グループ分けされた信号波形Ｗ１〜Ｗ４の４つのグループが波形表示画面３１における波形表示領域３１ａ〜３１ｄのいずれの領域に表示するかを表す「Ｇ１」、「Ｇ２」、「Ｇ３」および「Ｇ４」の文字列（本発明における「グループの表示」の一例）が表示される。この場合、図３，４に示すように、「Ｇ１」が表示されている位置に対応する波形表示領域３１ａには、信号波形Ｗ１（１つのグループにグループ分けされた測定結果の一例）が表示される。また、「Ｇ２」が表示されている位置に対応する波形表示領域３１ｂには、信号波形Ｗ２（他の１つのグループにグループ分けされた測定結果）が表示される。同様にして、「Ｇ３」、「Ｇ４」が表示されている位置に対応する波形表示領域３１ｃ，３１ｄには、信号波形Ｗ３，Ｗ４が表示される。したがって、利用者は、各波形データＤ１，Ｄ２・・に基づく信号波形Ｗ１，Ｗ２・・が波形表示領域３１ａ〜３１ｄのいずれに表示されるのかを確実に認識することができる。
【００２７】
続いて、図５に示すように、カーソル移動ボタン１４ｂを操作して、カーソル表示２１ａを「パターン」の部位に移動させる。これに応じて、「パターン１」および「パターン２」の選択候補を選択する機能がファンクションボタン１５ａ，１５ｂに割り当てられると共に、割り当てられた機能を示す機能表示２５ａ，２５ｂが機能表示領域２５内に表示される（図示せず）。この際に、波形表示領域３１ａのみを大きく規定して波形表示領域３１ｂ〜３１ｄを波形表示領域３１ａよりも小さく規定するときには、ファンクションボタン１５ｂを操作する。この際に、制御部５は、表示態様設定領域２２の「パターン」の部位の文字列を「パターン１」から「パターン２」に変更して表示部３に表示させると共に、分割態様表示２６をパターン２の表示態様に対応して表示替えする。この場合、図５に示す表示態様設定領域２２に従って波形表示画面３１を表示させたときには、図６に示すように、波形表示画面３１の上半分を占めるように波形表示領域３１ａが規定されると共に、波形表示画面３１の下半分を３つの領域に均等に分割して波形表示領域３１ｂ〜３１ｄが規定された分割態様で各波形表示領域３１ａ〜３１ｄに信号波形Ｗ１〜Ｗ４が表示される。したがって、図５に示すように、制御部５は、この分割態様で波形表示領域３１ａ，３１ｂ・・を表すように分割態様表示２６を表示替えする。
【００２８】
この後、操作部４の所定のボタンを操作して波形表示画面３１を表示部３に表示させることにより、図６に示すように、表示条件設定画面２１において設定された表示条件に従って波形表示画面３１が横長の４つの波形表示領域３１ａ〜３１ｄに分割されて、時間軸が横軸の（横スクロールの）信号波形Ｗ１〜Ｗ４が各波形表示領域３１ａ，３１ｂ・・内に表示される。一方、波形表示画面３１に時間軸が縦軸の（縦スクロールの）信号波形Ｗ１〜Ｗ４を表示させるときには、図７に示すように、表示条件設定画面２１を表示部３に表示させて表示態様設定領域２２内のスクロール方向を「縦スクロール」に変更する。この際に、記憶部６は、変更された分割態様（「４分割」、「パターン２」および「縦スクロール」の分割態様）で波形表示領域３１ａ，３１ｂ・・を表すように分割態様表示２６を表示替えする。また、この状態において各波形表示領域３１ａ〜３１ｄの大きさを均等に変更するには、図８に示すように、表示態様設定領域２２におけるパターンの部位を「パターン１」に変更する。この際に、記憶部６は、変更された分割態様（「４分割」、「パターン１」および「縦スクロール」の分割態様）で各波形表示領域３１ａ，３１ｂ・・を表すように分割態様表示２６を表示替えする。
【００２９】
また、リサージュ波形を表示するように設定されたときには（表示種類が「ＸＹ合成」のときには）、図９に示すように、制御部５は、表示態様設定領域２２内の画面分割の部位の設定に応じて、例えば波形表示画面３１を左右２つに均等に分割した波形表示領域３１ａ，３１ｂを表す分割態様表示２６を表示態様設定領域２２内に表示させる。さらに、振幅波形とリサージュ波形とを並べて表示するように設定されたときには（表示種類が「波形＋ＸＹ合成」のときには）、図１０に示すように、制御部５は、表示態様設定領域２２内の画面分割の部位の設定に応じて、例えば波形表示画面３１を３つに分割した波形表示領域３１ａ〜３１ｃを表す分割態様表示２６を表示態様設定領域２２内に表示させる。この場合、同図に示す「ＡＮＡＬＯＧ」の文字列は、本発明における「グループの表示」の他の一例であって、この波形記録装置１では、測定結果が振幅波形で表示されるグループを意味する。また、同図に示す「Ｇ１」、「Ｇ２」の文字列は、本発明における「グループの表示」のさらに他の一例であって、この波形記録装置１では、測定結果がリサージュ波形で表示されるグループを意味する。
【００３０】
一方、１つの波形データＤに基づく信号波形Ｗを複数の波形表示領域３１ａ，３１ｂ・・に跨って連続して表示させるとき（表示種類が「波形」であって、スクロール方向が「連続」のときには）、図１１に示すように、制御部５は、表示態様設定領域２２内の設定に応じて、例えば波形表示画面３１を６分割した波形表示領域３１ａ〜３１ｆを表す分割態様表示２６を表示態様設定領域２２内に表示させる。また、波形表示画面３１を単一の波形表示領域３１ａに分割して（すなわち、波形表示画面３１を分割せずに）信号波形Ｗを表示させるときには、図１２に示すように、制御部５は、画面分割の部位の設定に応じて、例えば波形表示画面３１を１分割した波形表示領域３１ａを表す分割態様表示２６を表示態様設定領域２２内に表示させる。
【００３１】
このように、この波形記録装置１による表示方法によれば、波形表示画面３１を分割した複数の波形表示領域３１ａ，３１ｂ・・を示す分割態様表示２６を設定された分割態様に従って表示条件設定画面２１内に表示させることにより、各波形表示領域の形状についての選択候補を文字情報で表示させて選択させる従来の表示方法と比較して、各波形表示領域３１ａ，３１ｂ・・がどのような分割態様で表示されるのかを利用者に確実に認識させることができる。したがって、利用者は、波形表示画面３１についての表示条件の設定を誤ることなく、所望の分割態様を正確に設定することができる。
【００３２】
また、この波形記録装置１によれば、波形表示画面３１における各波形表示領域３１ａ，３１ｂ・・の位置に対応させて各波形表示領域３１ａ，３１ｂ・・に表示させる各信号波形Ｗ１，Ｗ２・・のグループの表示（この例では、「Ｇ１」、「Ｇ２」等の文字列）を分割態様表示２６内に表示させることにより、利用者に対して、波形表示画面３１を表示して確認させることなく、表示条件設定画面２１を表示させた状態において各波形表示領域３１ａ，３１ｂ・・にいずれのグループの信号波形Ｗ１，Ｗ２・・が表示されるのかを確実に認識させることができる。
【００３３】
なお、本発明は、上記した構成および方法に限定されない。例えば、上記の波形記録装置１では、本発明における「グループの表示」として、「Ｇ１」、「Ｇ２」・・のような文字列を分割態様表示２６内に表示させているが、本発明における「グループの表示」は文字列に限定されず、各グループを表す記号や絵を「グループの表示」として分割態様表示２６内に表示させることもできる。また、図１３に示すように、波形表示画面３１における各波形表示領域３１ａ，３１ｂ・・の位置に対応させて各波形表示領域３１ａ，３１ｂ・・に表示させる各信号波形Ｗ１，Ｗ２・・を縮小した各信号波形Ｗａ１，Ｗａ２・・を分割態様表示２６内に表示させる構成を採用することもできる。この構成によれば、「Ｇ１」、「Ｇ２」・・等の文字列と比較して、各信号波形Ｗ１，Ｗ２・・（グループ）が各波形表示領域３１ａ，３１ｂ・・のうちのいずれの領域に表示されるかを確実に認識させることができる。したがって、いずれの波形表示領域３１ａ，３１ｂ・・にいずれの信号波形Ｗ１，Ｗ２・・を表示させるかを設定する際に、波形表示領域３１ａ，３１ｂ・・と、表示させる信号波形Ｗとの誤った組み合わせでの表示を回避することができる。
【図面の簡単な説明】
【００３４】
【図１】波形記録装置１の構成を示すブロック図である。
【図２】波形記録装置１の正面図である。
【図３】表示条件設定画面２１の一例を示す表示画面図である。
【図４】図３に示す表示条件設定画面２１の表示条件で設定された分割態様に従って信号波形Ｗ１〜Ｗ４を表示させた波形表示画面３１の表示画面図である。
【図５】表示条件設定画面２１の他の一例を示す表示画面図である。
【図６】図５に示す表示条件設定画面２１の表示条件で設定された分割態様に従って信号波形Ｗ１〜Ｗ４を表示させた波形表示画面３１の表示画面図である。
【図７】表示条件設定画面２１のさらに他の一例を示す表示画面図である。
【図８】表示条件設定画面２１のさらに他の一例を示す表示画面図である。
【図９】表示条件設定画面２１のさらに他の一例を示す表示画面図である。
【図１０】表示条件設定画面２１のさらに他の一例を示す表示画面図である。
【図１１】表示条件設定画面２１のさらに他の一例を示す表示画面図である。
【図１２】表示条件設定画面２１のさらに他の一例を示す表示画面図である。
【図１３】表示条件設定画面２１のさらに他の一例を示す表示画面図である。
【符号の説明】
【００３５】
１  波形記録装置
３  表示部
５  制御部
２１  表示条件設定画面
２２  表示態様設定領域
２６  分割態様表示
３１  波形表示画面
３１ａ，３１ｂ・・  波形表示領域
Ｄ１，Ｄ２・・  波形データ
Ｓ１，Ｓ２・・  入力信号
Ｗ１，Ｗ２・・，Ｗａ１，Ｗａ２・・  信号波形
【図１】
2006162436.tif 000003
【図２】
2006162436.tif 000004
【図３】
2006162436.tif 000005
【図４】
2006162436.tif 000006
【図５】
2006162436.tif 000007
【図６】
2006162436.tif 000008
【図７】
2006162436.tif 000009
【図８】
2006162436.tif 000010
【図９】
2006162436.tif 000011
【図１０】
2006162436.tif 000012
【図１１】
2006162436.tif 000013
【図１２】
2006162436.tif 000014
【図１３】
2006162436.tif 000015